(57)【特許請求の範囲】
【請求項１】
吸収体を挟んで液透過性のトップシートと液不透過性のバックシートを有する積層体が、着用者の背側に位置する背側部と腹側に位置する腹側部と股部分に位置する股部を形作り、前記背側部若しくは前記腹側部の左右に延びた翼片の端部に一対構成の機械的係止部材の一方部品および粘着部が設けられており、前記腹側部若しくは前記背側部の反身体側面には前記一対構成の機械的係止部材の他方部品が設けられていて、前記機械的係止部材の一方部品と前記他方部品を係合することにより、腹側部と背側部を取付けて着用する使い捨ておむつにおいて、前記粘着部は前記機械的係止部材の前記一方部品よりも内方側の位置に設けられ、且つ該粘着部上に保護用離型テープが付着されたものであることを特徴とする使い捨ておむつ。
【請求項２】
前記保護用離型テープが粘着部に付着した状態で、前記使い捨ておむつの着用時に背側部の翼片と腹側部とに挟まれた状態となる位置に設けられた請求項１に記載の使い捨ておむつ。
【請求項３】
前記背側部若しくは前記腹側部の翼片の身体側面上であって、前記機械的係止部材の前記一方部品よりも内方側の位置に、前記粘着部の他に、前記一方部品に係合可能な仮係合部品が設けられたものである請求項１または２に記載の使い捨ておむつ。
【請求項４】
前記機械的係止部材の前記一方部品と、前記一方部品に係合可能な仮係合部品との間の位置に、前記粘着部が設けられたものである請求項３に記載の使い捨ておむつ。
【請求項５】
前記機械的係止部材の前記一方部品上に該一方部品と係合可能な保護用機械的係止テープが離脱可能に付着されたものである請求項１または２に記載の使い捨ておむつ。
【請求項６】
前記保護用離型テープの裏面であって、粘着部の接合面の反対側に、前記係合可能な仮係合部品が設けられている請求項１または２に記載の使い捨ておむつ。
【発明の詳細な説明】
【０００１】
【発明の属する技術分野】
本発明は使い捨ておむつに関するものであり、詳細にはおむつを着用するにあたって、胴回部分に設けられた一対の機械的係止部材を機械的に係合して着用固定するタイプの使い捨ておむつに関するものである。
【０００２】
【従来の技術】
図６は使い捨ておむつを示す展開平面図である。該使い捨ておむつは図に示す様に長方形の長辺側の中央が窪んだ砂時計型をしており、この窪み部分が股部１４となり、該股部１４に連なって広くなっている一方が背側部１１で、他方が腹側部１３となっている。上記背側部１１の両翼片１１ａ端付近には取付部材１２が設けられ、該取付部材１２を用いて背側部１１を腹側部１３に取付けて着用する様になっている。
【０００３】
上記取付部材１２としては、粘着剤を用いたものや面ファスナー等の機械的係止部材を用いたものがあり、上記粘着剤を用いたものは、取付部材１２の身体側面に粘着剤層が設けられており、この粘着剤層を腹側部１３の外側（反身体側）表面に貼付することにより取付けている。また上記面ファスナーを用いたものは、取付部材１２の身体側面に鉤型（或いは茸型）係止部を設け、一方腹側部１３の外側表面にループ型係止部を設けて、該ループ型係止部に上記鉤型係止部を係合させることによって取付けている。
【０００４】
ところで上記粘着剤を用いたものにおいては、上記粘着剤層に手の油やベビーパウダー或いは繊維屑等が付着すると、その粘着性が低下して貼着不良をきたし、着用できなくなる恐れがある。
【０００５】
一方上記面ファスナーを用いたものはこの様な貼着不良の心配がなく、背側部１１と腹側部１３を確実に取付けることができるという利点を有するが、鉤型係止部とループ型係止部が一体となって始めて止着できるものであるから、即ち粘着テープの様に止着相手場所を選ばないという利点がないから、廃棄時等において、汚物等を内側に巻き込んだいわゆる廃棄形態（図７：使い捨ておむつの廃棄形態を示す正面図）を保つことができないという問題がある。
【０００６】
そこで下述の様に、面ファスナーを用いた使い捨ておむつであって廃棄形態を保持できるものとして様々なおむつが提案されている。
【０００７】
例えば特開平９−３０８６４８号公報には、図８（使い捨ておむつの取付部材を表す上面図）に示す様に、取付部材２２の反身体側に更に粘着テープ２４を設けたものであって、上記取付部材２２が茸型係止部２１を身体側に向け、上記粘着テープ２４が粘着面２３を上記取付部材２２（身体側）に向けたおむつが記載されている（図８の(a) ）（従来例▲１▼）。該おむつの廃棄時には、上記粘着テープを２４を取付部材２２から剥離し（図８の(b) ）、該粘着テープ２４で上記の如く廃棄形態にしたおむつを貼着固定する。尚取付部材２２の反身体側面には剥離処理剤２５が塗布されている。
【０００８】
また特開平９−２７６３３４号公報には、図９（使い捨ておむつの取付部材を示す上面図）に示す様に、身体側に向けて茸型係止部２１を有する取付部材２２の端部に粘着テープ２７が連設され、該粘着テープ２７が折り返されて取付部材２２の反身体側面に粘着面２６を向けて剥離可能に粘着させたものが記載されており（図９の(a) ）、廃棄時には上記粘着テープ２７を取付部材２２から剥離して粘着面２６を露出させ（図９の(b) ）、廃棄形態の貼着固定に用いる（従来例▲２▼）。
【０００９】
特開平９−２５３１２５号公報には、図１０に示す様に背側部１１の反身体側面に粘着テープ２８が設けられ（図１０の(a) ：使い捨ておむつを反身体側から見た展開平面図）、該粘着テープ２８が３つ折りに座屈して粘着面２８ａを隠したもの（図１０の(b) ：粘着テープ２８の上面図）が記載されており、廃棄時には粘着テープ２８を伸展して粘着面２８ａを露出させ、廃棄形態の貼着固定に用いる（従来例▲３▼）。
【００１０】
【発明が解決しようとする課題】
しかしながら上記従来例▲１▼〜▲３▼のいずれにおいても、粘着面を保護している離型部を剥離する操作は、着用時に外側（反身体側）から可能なものであるから、着用者の動きによって上記離型部が擦れると、上記粘着面から上記離型部が剥離してしまうという懸念があり、この様に剥離して粘着面が露出すると、該粘着面に繊維屑等が付着して粘着力が低下し、廃棄時に貼付し難くなるばかりでなく、上記粘着面に衣服等が貼着して着心地が悪くなるという問題がある。この様な粘着面からの離型部の剥離は、動きの少ない新生児はともかくとして、運動量の増えた乳幼児においてはその恐れが高くなる。
【００１１】
ところで上記粘着面と上記離型部の材料として、これらが容易に剥離しないものを用いると、上述の様な着用時における剥離の恐れは低減するものの、上記離型部を剥離する操作を行う際には、汚物等が外側に漏れない様に巻き込む操作も同時に行っており、即ち操作が煩雑で専ら片手で剥離操作を行うから、離型部は容易に剥離できることが望まれる。
【００１２】
そこで本発明は以上の問題を解決するためになされたものであり、面ファスナー等の機械的係止部材を用いて着用する使い捨ておむつであって、着用中に粘着面が露出して着心地が悪くなったりすることがなく、また廃棄形態を保つことができる使い捨ておむつを提供することを目的とする。
【００１３】
【課題を解決するための手段】
本発明に係る使い捨ておむつは、吸収体を挟んで液透過性のトップシートと液不透過性のバックシートを有する積層体が、着用者の背側に位置する背側部と腹側に位置する腹側部と股部分に位置する股部を形作り、前記背側部若しくは前記腹側部の左右に延びた翼片の端部に一対構成の機械的係止部材の一方部品が設けられ、前記腹側部若しくは前記背側部の反身体側面に前記一対構成の機械的係止部材の他方部品が設けられた使い捨ておむつにおいて、前記背側部若しくは前記腹側部の翼片の身体側面上であって、前記機械的係止部材の前記一方部品よりも内方側（正中線側）の位置に粘着部が設けられ、且つ該粘着部上に保護用離型テープが付着されたものであることを要旨とする。
【００１４】
尚以下、便宜上、背側部の左右に延びた翼片の端部に一対構成の機械的係止部材の一方部品が設けられ、腹側部の反身体側面に前記一対構成の機械的係止部材の他方部品が設けられた使い捨ておむつ（以下、腹側取付タイプと称することがある）の場合を例に挙げて説明するが、取付関係が反対のものであっても同様に理解すべきである。
【００１５】
着用時には上記機械的係止部材の一方部品と上記他方部品を係合することにより腹側部と背側部を取付ける。着用中においては、前記粘着部を保護する前記保護用離型テープは、背側部の翼部と腹側部とに挟まれる様にして位置するから、たとえ着用者が激しく動いたとしても上記保護用離型テープは擦れることがなく、よって保護用離型テープは剥離せずに上記粘着部を保護し続ける。
【００１６】
廃棄時には前記保護用離型テープを剥離して前記粘着部を露出させ、廃棄形態を保持する為に該粘着部を貼着すると良い。上記粘着部及び上記保護用離型テープの素材としては、これらが容易に剥離可能なものとするのが好ましく、この様に容易に剥離できるものであれば、汚物を内側に巻き込みつつ行う上記保護用離型テープの剥離操作が簡単となり、作業性が向上する。
【００１７】
尚上記機械的係止部材としては面ファスナーやホック等が挙げられ、例えば前記機械的係止部材の一方部品として上記面ファスナーの鉤型（或いは茸型）係止部（雄係止部）或いは上記ホックの凸側部を用い、前記機械的係止部材の他方部品として上記面ファスナーのループ型係止部（雌係止部）或いは上記ホックの凹側部を用いると良い。尚面ファスナーの雌係止部として微細なループを形成した不織布等を用いても良い。以下、便宜上「機械的係止部材の一方部品」を鉤型係止部材と称し、「機械的係止部材の他方部品」をループ型係止部材と称することがあるが、本発明はこれに限るものではない。
【００１８】
また上記鉤型係止部材の一方部品の位置として、上記背側部の翼片の端縁に連続して延設する様に取付けられたもの、或いは上記背側部の翼片の端付近に該翼片自体に設ける様にしたもののいずれであっても良い。
【００１９】
加えて本発明においては、前記背側部若しくは前記腹側部の翼片の身体側面上であって、前記機械的係止部材の前記一方部品（鉤型係止部材）よりも内方側（正中線側）に位置に、上記粘着部の他に、前記一方部品（鉤型係止部材）に係合可能な仮係合部品が設けられたものであることが好ましい。該仮係合部品としては、上記機械的係止部材の他方部品と同様のものが用いられる。
【００２０】
腹側取付タイプを例に挙げて説明すると、一般に鉤型係止部材は背側部から延設して取付けられるか、或いは背側部の翼片を長くして該翼片上に取付けられるが、この様に鉤型係止部材や翼片が外側に延びてしかも鉤型係止部材の係止面が露出していると、おしめの製造過程において上記鉤型係止部材が製造機械に引掛かり、スムーズな製造流れを実現できないばかりでなく、おしめを製造機械に巻き込んでしまう事故等が生じる恐れがある。しかし上述の様に上記翼片に上記仮係合部品を設けたものにあっては、予め鉤型係止部材を該仮係合部品に係合させて折り返す様に畳んでおくことで、外側に延びる部分をなくす或いは小さくすことができる上、鉤型係止部材の係止面が隠れるから、機械に引掛かる等の恐れがなくなる。
【００２１】
加えて消費者が使用する際にも、鉤型係止部材を腹側部のループ型係止部材に係合する直前まで、上記鉤型係止部材を上記仮係合部品に係合させて折り返しておけば、着用操作中のほとんどが上記鉤型係止部材が隠れた状態となるから、該鉤型係止部材を衣服等に引掛ける恐れがない。
【００２２】
或いは本発明においては、前記機械的係止部材の前記一方部品（鉤型係止部材）上に該一方部品と係合可能な保護用機械的係止テープが離脱可能に付着されたものであることが好ましい。該保護用機械的係止テープとしては、テープ基材上に上記機械的係止部材の他方部品と同様のものを備えたものが用いられる。
【００２３】
この様に鉤型係止部材を保護用機械的係止テープにより保護しておくことで、前述と同様に製造機械へのおむつの巻き込みや、着用操作時における鉤型係止部材の衣服への引っかけを防止することができる。
【００２４】
また前記粘着部及び保護用離型テープが前記機械的係止部材の一方部品（鉤型係止部材）に隣接して設けられたものであることが好ましい。仮に粘着部及び保護用離型テープが鉤型係止部材から非常に間隔をおいて設けられたものにあっては、上記粘着部等がおむつの背側部と腹側部に挟まれた位置とならず、背側部と着用者の皮膚の間に挟まれて位置する様になり、着用感が悪くなる恐れがあるが、上記粘着部等が鉤型係止部材に隣接したものは、確実におむつの背側部と腹側部に粘着部及び保護用離型テープが挟まれる様になり、皮膚に触れない。加えて前記鉤型係止部材とループ型係止部材の係合箇所近傍においては背側部と腹側部はほとんど位置ズレを起こさないか或いは全くズレないから、上記の様に係合箇所近傍に粘着部及び保護用離型テープが位置するものの場合は、より一層保護用離型テープの剥離の恐れがない。
【００２５】
【発明の実施の形態及び実施例】
図１は本発明に係る使い捨ておむつの一例を示す部分斜視図であり、該おむつの身体側面を斜め手前側に向けている。尚図６と同じ構成部分については同一の符号を付して重複説明を避ける。
【００２６】
上記使い捨ておむつ１は、吸収体５を挟んで身体側面の液透過性トップシート４と反身体側（外側）面の液不透過性バックシート６を有する積層体からなり、背側部１１の翼片１１ａの端部には身体側面に向けて鉤型係止部材２が設けられ、腹側部１３の反身体側面にはループ型係止部材３が設けられている。また翼片１１ａの身体側面上には上記鉤型係止部材２よりも内方側に位置して粘着部７が設けられ、該粘着部７上には保護用離型テープ８が設けられている。更に翼片１１ａの身体側面上には該粘着部７よりも内方側に位置して仮止用ループ型係止部材（仮係合部品）９が設けられている。
【００２７】
図２は製造，運搬時における上記翼片１１ａを示す上面図であり、図１と同じ構成部分については同一の符号を付して重複説明を避ける。
【００２８】
図２に示す様に翼片１１ａの端部分を折り返し、上記鉤型係止部材２を上記仮止用ループ型係止部材９に係合させておくと、翼片１１ａの張り出し長さが短くなることに加えて、粘着部７及び離型テープ８が翼片１１ａに挟まれる様になって隠れ、即ち離型テープ８が保護されることになって剥がれる恐れがない。殊に製造時においては、上述の様に翼片１１ａが短く、粘着部７が露出する恐れがないことから、翼片１１ａの製造機械への巻き込み事故が防止できる。
【００２９】
また上記の様に鉤型係止部材２に仮止用ループ型係止部材９を係合させておけば、消費者がおむつを収納袋から取り出す際や、おむつの着用操作中において、上記鉤型係止部材２が着用者や着用操作を行っている者の衣服等に引掛かる恐れがなく、スムーズな操作が可能となる。尚着用操作において、鉤型係止部材２を腹側部１３のループ型係止部材３に係合する直前に、上記鉤型係止部材２を上記仮止用ループ型係止部材９から外す様にすると良い。
【００３０】
おむつの着用中においては、上記粘着部７及び離型テープ８は翼部１１ａと腹側部１３に挟まれる様になるから、仮に着用者が激しく動いたとしても離型テープ８が剥がれることがなく、粘着部７を保護し続けることができる。
【００３１】
廃棄するにあたっては、汚物等を内側に巻き込みつつ、離型テープ８を剥離して粘着部７を露出させ、廃棄形態を保持し得る様に粘着部７を貼着する。
【００３２】
以上の様に本発明に係る使い捨ておむつに関して、実施例を示す図面を参照しつつ具体的に説明したが、本発明はもとより図示例に限定される訳ではなく、前・後記の趣旨に適合し得る範囲で適当に変更を加えて実施することも可能であり、それらはいずれも本発明の技術的範囲に包含される。
【００３３】
例えば図３（背側部１１の翼片１１ａを示す上面図）に示す様に、粘着部７及び離型テープ８が鉤型係止部材２の間近に設けられ、鉤型係止部材２を仮止用ループ型係止部材９に係合した際に、粘着部７及び離型テープ８が折り返し側に位置する様なものであっても良い。
【００３４】
或いは図４（背側部１１の翼片１１ａを示す上面図）に示す様に、翼片１１ａの身体側面上に、鉤型係止部材２よりも内方側に位置して粘着部７及び該粘着部７上の離型テープ８が設けられ、該粘着部７（及び離型テープ８）と上記鉤型係止部材２の間に仮止用ループ型係止部材９が設けられたものであっても良い。
【００３５】
更に保護用離型テープの裏面（粘着部との接合面の反対側）に仮止用ループ型係止部材が設けられてものであっても良く、着用時には保護用離型テープが粘着部から外れない様に押さえつつ仮止用ループ型係止部材から鉤型係止部材を外す様にする。
【００３６】
また図５（背側部１１の翼片１１ａを示す上面図）に示す様に、鉤型係止部材２に係合可能な保護用機械的係止テープ１０が設けられたものであっても良く、着用時に上記保護用機械的係止テープ１０を外し、腹側部１３の反身体側に設けられたループ型係止部３に上記鉤型係止部材２を取付ける様にする。
【００３７】
加えて上記液不透過性バックシート６の外側（反身体側）に更に布帛等を配し、肌触りを向上させる様にしても良い。
【００３８】
【発明の効果】
以上の様に本発明においては、面ファスナー等の機械的係止部材を用いて着用する使い捨ておむつでありながらも、廃棄形態を保つことができ、しかも着用中に保護用離型テープの剥離の恐れがなく、よって粘着部の粘着力の低下の恐れがなく、また着心地が悪くなることがない。
【図面の簡単な説明】
【図１】本発明に係る使い捨ておむつの一例を示す部分斜視図。
【図２】図１に示す使い捨ておむつの翼片の製造，運搬時の状態を示す上面図。
【図３】本発明の他の例に係る使い捨ておむつの背側部の翼片を示す上面図。
【図４】本発明の更に他の例に係る使い捨ておむつの背側部の翼片を示す上面図。
【図５】本発明のまた更に他の例に係る使い捨ておむつの背側部の翼片を示す上面図。
【図６】従来の使い捨ておむつを示す展開平面図。
【図７】使い捨ておむつの廃棄形態を示す正面図。
【図８】従来の使い捨ておむつの取付部材を表す上面図。
【図９】従来の使い捨ておむつの取付部材を示す上面図。
【図１０】  (a) ：従来の使い捨ておむつを反身体側から見た展開平面図、(b) ：粘着テープの上面図。
【符号の説明】
１  使い捨ておむつ
２  鉤型係止部材
３  ループ型係止部材
４  トップシート
５  吸収体
６  バックシート
７  粘着部
８  保護用離型テープ
９  仮止用ループ型係止部材
１０  保護用機械的係止テープ
１１  背側部
１１ａ  翼片
１２，２２  取付部材
１３  腹側部
１４  股部
２１  茸型係止部
２３  粘着面
２４，２７，２８  粘着テープ
２５  剥離処理剤
２６，２８ａ  粘着面
【図１】
0004021992.tif 000002
【図２】
0004021992.tif 000003
【図３】
0004021992.tif 000004
【図４】
0004021992.tif 000005
【図５】
0004021992.tif 000006
【図６】
0004021992.tif 000007
【図７】
0004021992.tif 000008
【図８】
0004021992.tif 000009
【図９】
0004021992.tif 000010
【図１０】
0004021992.tif 000011